(57)【要約】【課題】建物の床構造において、互いに連結された根太の高さ位置の違いを利用して床部の段差部分を形成する場合に、その段差の高さ寸法を適正に設定する。【解決手段】建物１０の二階床部４０は複数の床パネル４２を有しており、床パネル４２は、複数の根太４５，４６が組み合わされた床フレーム４３と、床フレーム４３に固定された床面材４４とを有している。複数の床パネル４２には、脱衣室１６の床部分を形成する脱衣室床パネル４２Ａと、浴室１５の床部分を形成する浴室床パネル４２Ｂとが含まれており、これら床パネル４２Ａ，４２Ｂは隣り合っている。脱衣室床パネル４２Ａは第１根太４５Ａを有し、浴室床パネル４２Ｂは第２根太４５Ｂを有しており、第２根太４５Ｂは第１根太４５Ａに固定されている。第２根太４５Ｂは第１根太４５Ａよりも高さ寸法が小さく、第１根太４５Ａ側に取り付けられた第１ブラケット６１の上に載置されている。【選択図】      図１
2015021224.tif 000002
【特許請求の範囲】
【請求項１】
横並びに設けられた複数の根太の上に床面材が設置されている建物の床構造であって、
前記複数の根太には、隣り合う２つの床面材のうち一方の床面材が固定された第１根太と、他方の床面材が固定された第２根太とが含まれており、
前記第２根太は、前記第１根太に固定され、該第１根太よりも小さい高さ寸法を有しており、
建物の床部において前記第２根太が前記第１根太に取り付けられる場合に前記第２根太を下方から支持することで前記第１根太に対して同第２根太を上下方向に位置決めする位置決め手段が設けられていることを特徴とする建物の床構造。
【請求項２】
前記根太が複数組み合わされた床フレームを有し且つ該床フレームの上に前記床面材が設置されることで形成された床パネルが、横並びに複数設けられ、これら床パネルには、前記第１根太を含む第１床フレームを有している第１床パネルと、前記第２根太を含む第２床フレームを有している第２床パネルとが含まれており、
前記位置決め手段は、前記第１床パネル側に対して固定された固定部と、前記第２根太が載せられる載置部を有していることを特徴とする請求項１に記載の建物の床構造。
【請求項３】
前記第１床パネルにおいては、前記第１床フレームの上に第１床面材が設置されており、
前記第２床パネルにおいては、前記第２床フレームの上に第２床面材が設置されており、
前記第２床面材は、前記第２根太が前記載置部の上に載せられることで、当該第２床面材の上面が前記第１床面材の上面よりも低い位置に配置されるものであることを特徴とする請求項２に記載の建物の床構造。
【請求項４】
前記第１根太と前記第２根太とは、前記第１床パネルと前記第２床パネルとの境界部に沿って延び、且つそれぞれの側面同士が重ねられた状態で、互いに固定されていることを特徴とする請求項２又は３に記載の建物の床構造。
【請求項５】
前記固定部は前記第１根太よりも低い位置に配置されていることを特徴とする請求項２乃至４のいずれか１項に記載の建物の床構造。
【請求項６】
上下に隣り合う上階部と下階部との間に前記第１床パネル及び前記第２床パネルが設けられており、
前記第１根太は、前記下階部の間仕切壁である下階壁部の上に設置されており、
前記固定部は前記下階壁部よりも前記第２根太側に配置されていることを特徴とする請求項２乃至５のいずれか１項に記載の建物の床構造。
【請求項７】
前記固定部は、前記下階壁部の側面に固定されていることを特徴とする請求項６に記載の建物の床構造。
【請求項８】
前記第１根太の上には、前記上階部の間仕切壁であり且つ前記下階壁部と平行に延びている上階壁部が、前記下階壁部に上下に重なる位置に設置されており、
前記第２根太は、前記下階壁部及び前記上階壁部のいずれとも上下に並ばない位置に配置されていることを特徴とする請求項７に記載の建物の床構造。
【請求項９】
前記第２床パネルの上には浴室ユニットが設置されており、
前記第１床パネルは、前記浴室ユニットへの出入りが可能な脱衣室の床面を形成していることを特徴とする請求項２乃至８のいずれか１項に記載の建物の床構造。
【発明の詳細な説明】
【技術分野】
【０００１】
本発明は、建物の床構造に関するものである。
【背景技術】
【０００２】
住宅等の建物において、複数の根太が横並びに設けられ、それら根太の上に床面材が設置されることで床部が形成されていることがある。例えば、スチールハウスにおいて、対向配置された基礎に掛け渡された状態で根太が設けられており、その根太が床面材を下方から支持している構成がある（例えば特許文献１参照）。この構成では、根太が基礎の上に載せられており、上下方向における根太の位置決めが基礎の上面により行われていることになる。
【先行技術文献】
【特許文献】
【０００３】
【特許文献１】特開平９−２８７２３１号公報
【発明の概要】
【発明が解決しようとする課題】
【０００４】
しかしながら、隣り合う根太が互いに連結され、それら根太のうち一方だけが基礎等の建物構造体の上に載せられている構成では、建物構造体の上に載せられていない方の非載せ根太を、建物構造体の上に載せられている方の載せ根太に固定する際に、非載せ根太を例えばクレーン等の重機により吊り下げて載せ根太に対して位置合わせを行う必要がある。
【０００５】
ここで、載せ根太と非載せ根太とで高さ寸法が同じであれば、上下方向について載せ根太に対する非載せ根太の位置合わせを行う際に、非載せ根太の上面及び下面の両方が載せ根太の上面及び下面と同一平面になるようにすることが、作業者が載せ根太と非載せ根太の境界部を上側及び下側のいずれから視認している場合でも容易である。ところが、載せ根太と非載せ根太とで高さ寸法が異なっている場合には、載せ根太及び非載せ根太の境界部について上側及び下側の少なくとも一方に段差が形成されてしまうため、上下方向について乗せ根太に対する非載せ根太の位置合わせを行う作業の困難性が高くなってしまう。
【０００６】
本発明は、上記事情に鑑みてなされたものであり、建物の床構造において、互いに連結された根太の高さ位置の違いを利用して床部の段差部分を形成する場合に、その段差の高さ寸法を適正に設定することを主たる目的とするものである。
【課題を解決するための手段】
【０００７】
以下、上記課題を解決するのに有効な手段等につき、必要に応じて作用、効果等を示しつつ説明する。
【０００８】
第１の発明の建物の床構造は、横並びに設けられた複数の根太の上に床面材が設置されている建物の床構造であって、前記複数の根太には、隣り合う２つの床面材のうち一方の床面材が固定された第１根太と、他方の床面材が固定された第２根太とが含まれており、前記第２根太は、前記第１根太に固定され、該第１根太よりも小さい高さ寸法を有しており、建物の床部において前記第２根太が前記第１根太に取り付けられる場合に前記第２根太を下方から支持することで前記第１根太に対して同第２根太を上下方向に位置決めする位置決め手段が設けられていることを特徴とする。
【０００９】
第１の発明によれば、建築現場において建物の床部を構築する際に、第１根太に対する第２根太の相対的な高さ位置が位置決め手段により設定されるため、第２根太を第１根太に固定する作業を容易化できる。例えば、第１根太が基礎や構造壁、柱といった建物構造体の上に載せられている一方で、第２根太が建物構造体の上に載せられていない構成において、第２根太を位置決め手段により支持させるという容易な作業を行うことで、第２根太を所望の高さ位置に設置することができる。
【００１０】
しかも、位置決め手段により第２根太が支持されるため、第１根太に対して第２根太を固定する際に、第２根太をクレーン等の重機により吊り下げ支持しておく必要や、専用の工具を用いて第２根太を第１根太に対して仮固定しておく必要がない。したがって、第１根太に対して第２根太を仮固定する際の作業負担を低減できる。
【００１１】
以上により、第１根太と第２根太との高さ位置の違いを利用して、脱衣室と浴室との境界部や、玄関と廊下との境界部といった床部の段差部分を形成する場合に、その段差の高さ寸法を好適に設定することができる。
【００１２】
第２の発明では、第１の発明において、前記根太が複数組み合わされた床フレームを有し且つ該床フレームの上に前記床面材が設置されることで形成された床パネルが、横並びに複数設けられ、これら床パネルには、前記第１根太を含む第１床フレームを有している第１床パネルと、前記第２根太を含む第２床フレームを有している第２床パネルとが含まれており、前記位置決め手段は、前記第１床パネル側に対して固定された固定部と、前記第２根太が載せられる載置部を有している。
【００１３】
複数の根太を含んで床パネルが形成されている建物では、床部の工業化を図ることができる一方で、根太よりも大きくて重い床パネルを建築現場にて設置する必要が生じ、複数の根太を個別に設置する場合に比べて、建築現場での作業負担が大きくなることが懸念される。
【００１４】
これに対して、第２の発明によれば、床パネルの第２根太を位置決め手段の載置部に載せるという容易な作業を行うことで、上下方向について第１根太に対して第２根太の位置決めを行うことができるため、根太単体に比べて大きくて重い床パネルを建築現場にて設置する場合において、その作業負担を効果的に低減できる。しかも、位置決め手段において、第２根太の高さ位置を定める固定部が第１床パネル側に固定されているため、第１床パネルに対する第２床パネルの相対的な高さ位置、つまり、第１根太に対する第２根太の相対的な高さ位置を適正に設定することを容易化できる。
【００１５】
第３の発明では、第２の発明において、前記第１床パネルにおいては、前記第１床フレームの上に第１床面材が設置されており、前記第２床パネルにおいては、前記第２床フレームの上に第２床面材が設置されており、前記第２床面材は、前記第２根太が前記載置部の上に載せられることで、当該第２床面材の上面が前記第１床面材の上面よりも低い位置に配置されるものである。
【００１６】
第３の発明によれば、第２床パネルが第２床面材を有しているため、第２床パネルの上に浴室ユニット等の建物設備を設置する場合に、その建物設備を第２床パネルに対して適正に固定することができる。しかも、第２床面材が第１床面材よりも低い高さ位置に配置されていることを利用して、第１床面材に対する建物設備の相対的な高さ位置を適正に設定できる。例えば、建物設備として浴室ユニットが第２床パネルの上に設置され、第１床パネルにより脱衣室の床が形成された場合、第１床面材と第２床面材とが同じ高さ位置に配置された構成に比べて、脱衣室の床面と浴室ユニットの床面との段差が小さくなるため、脱衣室から浴室に出入りする際に段差を跨ぐための身体的な負担を低減できる。
【００１７】
第４の発明では、第２又は３の発明において、前記第１根太と前記第２根太とは、前記第１床パネルと前記第２床パネルとの境界部に沿って延び、且つそれぞれの側面同士が重ねられた状態で、互いに固定されている。
【００１８】
第４の発明によれば、第１床パネルと第２床パネルとを、第１根太と第２根太との固定により強固に連結することができる。このため、第１床パネル及び第２床パネルのうち一方だけが構造壁等の建物構造体に載せられている構成であっても、他方の床パネルを一方の床パネルにより好適に支持することができる。
【００１９】
第５の発明では、第２乃至第４のいずれかの発明において、前記固定部は前記第１根太よりも低い位置に配置されている。
【００２０】
第５の発明によれば、位置決め手段の固定部が第１根太よりも低い位置に配置されているため、その固定部が第１根太と第２根太との間に入り込んだ状態にならない。これにより、第１床パネルと第２床パネルとの並び方向において、第１床パネルに対する第２床パネルの相対的な位置が固定部が挟まっている分だけずれるということを回避できる。
【００２１】
第６の発明では、第２乃至第５のいずれかの発明において、上下に隣り合う上階部と下階部との間に前記第１床パネル及び前記第２床パネルが設けられており、前記第１根太は、前記下階部の間仕切壁である下階壁部の上に設置されており、前記固定部は前記下階壁部よりも前記第２根太側に配置されている。
【００２２】
第６の発明によれば、位置決め手段の固定部が下階壁部よりも第２根太側に配置されているため、その固定部が下階壁部と第１根太との間に入り込んだ状態にならない。これにより、上下方向において、下階壁部に対する第１根太の相対的な位置が固定部が挟まっている分だけずれるということを回避できる。
【００２３】
第７の発明では、第６の発明において、前記固定部は、前記下階壁部の側面に固定されている。
【００２４】
第７の発明によれば、位置決め手段の固定部が、水平方向において第１根太と第２根太との間に入り込まず、且つ上下方向において下階壁部と第１根太との間に入り込んだ状態にならない。したがって、下階壁部を基準として第２床パネル（第２根太）の設置位置が固定部の存在によってずれることを、水平方向及び上下方向の両方について抑制できる。
【００２５】
第８の発明では、第７の発明において、前記第１根太の上には、前記上階部の間仕切壁であり且つ前記下階壁部と平行に延びている上階壁部が、前記下階壁部に上下に重なる位置に設置されており、前記第２根太は、前記下階壁部及び前記上階壁部のいずれとも上下に並ばない位置に配置されている。
【００２６】
第１根太と第２根太とで高さ寸法が異なる場合、それら根太の境界部分には段差が形成されるため、下階壁部と上階壁部との間に第１根太と第２根太との境界部が配置されると、下階壁部に第１根太及び第２根太の両方を固定することや、第１根太及び第２根太の両方の上に上階壁部を載せることが困難になる。
【００２７】
これに対して、第８の発明によれば、下階壁部と上階壁部との間に第１根太と第２根太との境界部が配置されていないため、下階壁部に第１根太を固定すること、及び第１根太の上に上階壁部を載せることが容易になる。しかも、この場合でも、位置決め手段が設けられているため、第１根太に対して第２根太を適正な位置に配置できる。
【００２８】
第９の発明では、第２乃至第８のいずれかの発明において、前記第２床パネルの上には浴室ユニットが設置されており、前記第１床パネルは、前記浴室ユニットへの出入りが可能な脱衣室の床面を形成している。
【００２９】
第９の発明によれば、浴室ユニットが第２床パネルの上に設置され、第１床パネルにより脱衣室の床が形成されているため、例えば第１床面材と第２床面材とが同じ高さ位置に配置された構成に比べて、脱衣室の床面と浴室ユニットの床面との段差が小さくなる。したがって、脱衣室から浴室に出入りする際に段差を跨ぐための身体的な負担を低減できる。
【図面の簡単な説明】
【００３０】
【図１】建物の構成を示す図
【図２】浴室と脱衣室との境界部分周辺の縦断面図
【図３】脱衣室床パネルと浴室床パネルとの境界部分周辺の縦断面図
【図４】浴室床パネルの設置手順を示す図
【図５】別の脱衣室床パネルと浴室床パネルとの境界部分周辺の縦断面図
【図６】別の脱衣室床パネルと浴室床パネルとの境界部分周辺の縦断面図
【発明を実施するための形態】
【００３１】
以下、本発明を具体化した一実施形態について図面を参照しつつ説明する。本実施形態では、本発明の床構造を、枠組壁工法により構築された二階建てのスチールハウスにおいて具体化している。図１は建物１０の構成を示す図、図２は浴室１５と脱衣室１６との境界部分周辺の縦断面図、図３は脱衣室床パネル４２Ａと浴室床パネル４２Ｂとの境界部分周辺の縦断面図である。なお、図１においては、（ａ）に建物１０の二階部分１２の平面図を示し、（ｂ）に（ａ）のＡ−Ａ線断面図を示し、（ｂ）においてはユニットバス４８の図示を省略している。図２においては、（ａ）に図１（ａ）のＢ−Ｂ線断面図を示し、（ｂ）に従来の図を示している。
【００３２】
図１（ａ），（ｂ）に示すように、住宅等の建物１０は、下階部としての一階部分１１と、下階部に上下に隣り合う上階部としての二階部分１２とを有している。二階部分１２は、浴室１５と、その浴室１５の隣に配置された脱衣室１６と、脱衣室１６を挟んで浴室１５とは反対側に配置された廊下１７とを有している。浴室１５は、建物１０の外壁２１及び内壁２２により区画されている。
【００３３】
内壁２２は、一階部分１１及び二階部分１２のそれぞれにおいて屋内空間を複数に仕切る間仕切壁とされている。内壁２２は、二階部分１２において浴室１５と脱衣室１６とを仕切る浴室側壁部３１ａと、脱衣室１６と廊下１７とを仕切る廊下側壁部３１ｂとを有している。浴室側壁部３１ａと廊下側壁部３１ｂとは、脱衣室１６を挟んで対向しており、浴室側壁部３１ａには、脱衣室１６から浴室１５への出入りを可能とする浴室出入口２３が設けられ、廊下側壁部３１ｂには、脱衣室１６から廊下１７への出入りを可能とする廊下出入口２４が設けられている。
【００３４】
また、内壁２２は、一階部分１１において、浴室側壁部３１ａの下方に設けられた浴室側下方壁部３２ａと、廊下側壁部３１ｂの下方に設けられた廊下側下方壁部３２ｂとを有している。一階部分１１は、浴室１５の下方に配置された第１室３３と、脱衣室１６の下方に配置された第２室３４と、廊下１７の下方に配置された第３室３５とを有しており、浴室側下方壁部３２ａは、第１室３３と第２室３４とを仕切り、廊下側下方壁部３２ｂは、第２室３４と第３室３５とを仕切っている。また、浴室側下方壁部３２ａと廊下側下方壁部３２ｂとは、第２室３４を挟んで対向している。浴室側壁部３１ａと廊下側壁部３１ｂとが並んでいる方向において、浴室側壁部３１ａと浴室側下方壁部３２ａとは互いに上下に重なる位置に配置されており、廊下側壁部３１ｂと廊下側下方壁部３２ｂとは互いに上下に重なる位置に配置されている。
【００３５】
外壁２１は、一階部分１１に配置された一階外壁部３７と、二階部分１２に配置された二階外壁部３８とを有している。一階外壁部３７は、一階部分１１において第１室３３を挟んで浴室側下方壁部３２ａに対向しており、二階外壁部３８は、二階部分１２において浴室１５を挟んで浴室側壁部３１ａに対向している。
【００３６】
一階部分１１と二階部分１２との間には、二階部分１２の床面を形成する二階床部４０が設けられている。二階床部４０の下方には、一階部分１１の天井面を形成する天井面材４１が設けられている。天井面材４１は、石膏ボード等により形成されており、二階床部４０により吊り下げ支持されている。この場合、天井面材４１は、第１室３３、第２室３４及び第３室３５のいずれにおいても設置されている。
【００３７】
二階床部４０は、横並びに配置された複数の床パネル４２を有している。床パネル４２は、床下地としての床フレーム４３と、床フレーム４３の上に設置された床面材４４とを有している。床面材４４は、パーティクルボードや合板等の下地面材と、下地面材の上に重ねられたフローリング材等の仕上面材とを含んで形成されており、矩形状の板材である。
【００３８】
床フレーム４３は、複数の根太４５，４６を有しており、これら根太４５，４６を組み合わせて矩形枠状に形成されている。根太４５，４６のうち外側根太４５は、床面材４４の周縁部に沿って延びており、床フレーム４３の外郭を形成するように複数組み合わされている。複数の外側根太４５には、互いに直交する方向に延びている側根太と端根太とが含まれており、側根太及び端根太はそれぞれ一対ずつ設けられている。内側根太４６は、外側根太４５の内側に配置されており、複数の外側根太４５のうち一対の端根太に掛け渡されている。
【００３９】
外側根太４５及び内側根太４６は、いずれも溝形鋼により形成されている。内側根太４６は、互いに並列に配置された２つの溝形鋼を有しており、これら溝形鋼は、それぞれのウェブの外側面を重ね合わせた状態で固定されている。内側根太４６においては、各溝形鋼の溝部が側方各溝形鋼はそれぞれの溝部を反対側に向けて配置されている。これに対して、外側根太４５は、１つの溝形鋼により形成されており、その溝部を内側根太４６側に向けて配置されている。なお、１つの床パネル４２において、内側根太４６及び外側根太４５の各高さ寸法は同じにされている。
【００４０】
複数の床パネル４２には、二階床部４０において脱衣室１６の床部分を形成する脱衣室床パネル４２Ａと、浴室１５の床部分を形成する浴室床パネル４２Ｂと、廊下１７の床部分を形成する廊下床パネル４２Ｃとが含まれている。脱衣室床パネル４２Ａ及び浴室床パネル４２Ｂは、隣り合う位置に配置されており、それらパネル４２Ａ，４２Ｂの境界部において互いに連結されている。また、廊下床パネル４２Ｃは、脱衣室床パネル４２Ａを挟んで浴室床パネル４２Ｂとは反対側に配置されており、脱衣室床パネル４２Ａに連結されている。
【００４１】
なお、脱衣室床パネル４２Ａは、脱衣室床フレーム４３Ａ及び脱衣室床面材４４Ａを有し、浴室床パネル４２Ｂは、浴室床フレーム４３Ｂ及び浴室床面材４４Ｂを有している。
この場合、脱衣室床パネル４２Ａが第１床パネルに相当し、脱衣室床フレーム４３Ａが第１床フレームに相当し、脱衣室床面材４４Ａが第１床面材に相当する。また、浴室床パネル４２Ｂが第２床パネルに相当し、浴室床フレーム４３Ｂが第２床フレームに相当し、浴室床面材４４Ｂが第２床面材に相当する。
【００４２】
浴室１５には、建物設備としてのユニットバス４８が設置されている。ユニットバス４８は、浴室床パン４９や浴槽、浴室壁、浴室天井が一体化された浴室ユニットであり、浴室床パネル４２Ｂの上に設置されている。ここで、ユニットバス４８においては、浴室床パン４９の下側に排水管や、浴室床パン４９を支える脚部などが設けられており、それによって、浴室１５の床面となるユニットバス４８の床面（浴室床パン４９の上面）は、浴室床パネル４２Ｂから上方に所定寸法だけ離間した位置に配置されることになる。この場合、ユニットバス４８の床面が脱衣室１６の床面よりも高い位置に配置され、浴室１５と脱衣室１６との境界部に床面同士の段差が生じてしまう。
【００４３】
例えば、図２（ｂ）に示す従来構成のように、脱衣室床パネル４２Ａの高さ寸法Ｈ１と浴室床パネル４２Ｂの高さ寸法Ｈ１とが同じとされ、それら床パネル４２Ａ，４２Ｂの各上面の高さ位置が同じとされた構成では、ユニットバス４８の床面と浴室床パネル４２Ｂとの離間距離が、そのまま浴室１５と脱衣室１６との境界部における床面同士の段差の高さ寸法になる。
【００４４】
これに対して、本実施形態では、図２（ａ）に示すように、脱衣室床パネル４２Ａの高さ寸法Ｈ１よりも、浴室床パネル４２Ｂの高さ寸法（厚み寸法）Ｈ２が小さくされ（Ｈ１＞Ｈ２）、浴室床パネル４２Ｂの上面が脱衣室床パネル４２Ａの上面よりも低い位置に配置されている。この場合、浴室床パネル４２Ｂと脱衣室床パネル４２Ａとの高さ位置の差異（Ｈ１−Ｈ２の値）の分だけ、浴室１５と脱衣室１６との境界部に生じる床面同士の段差が小さくなっている。このため、脱衣室１６から浴室１５に出入りする際に段差を跨ぐための身体的な負担を低減できる。
【００４５】
脱衣室床パネル４２Ａと浴室床パネル４２Ｂとの高さ寸法の差異は、これら床パネル４２Ａ，４２Ｂの各床フレーム４３の高さ寸法により規定されている。この場合、脱衣室床パネル４２Ａ及び浴室床パネル４２Ｂは、それぞれの下面同士（根太４５，４６の下端同士）が同じ高さ位置に配置され、浴室床パネル４２Ｂの根太４５，４６の高さ寸法は、脱衣室床パネル４２Ａの根太４５，４６の高さ寸法よりも小さくされており、これら高さ寸法の差異によって、浴室１５と脱衣室１６との境界部の段差が形成されている。
【００４６】
図１（ｂ）の説明に戻り、脱衣室床パネル４２Ａ及び浴室床パネル４２Ｂは、外壁２１及び内壁２２により支持されている。ここで、外壁２１が耐力壁等の構造壁とされているのはもちろんのこと、内壁２２の壁部３１ａ，３１ｂ，３２ａ，３２ｂが構造壁とされており、特に、一階部分１１の下方壁部３２ａ，３２ｂは、二階床部４０を下方から支持する支持壁になっている。ちなみに、二階部分１２の浴室側壁部３１ａ及び廊下側壁部３１ｂは、二階部分１２の天井や屋根を下方から支持する支持壁になっている。この場合、浴室側壁部３１ａは上階壁部に相当し、浴室側下方壁部３２ａは下階壁部に相当する。
【００４７】
外壁２１及び内壁２２は、それぞれ壁パネル５１が複数組み合わされることで形成されている。壁パネル５１は、壁下地としての壁フレーム５２と、壁フレーム５２に取り付けられた壁面材５３とを有している。外壁２１及び内壁２２において、屋内面を形成する壁面材５３は、石膏ボード等の内装材により形成されており、屋外面を形成する壁面材５３は、サイディングボード等の外装材により形成されている。壁パネル５１においては、壁厚み方向において壁フレーム５２の両側に壁面材５３が配置されているが、浴室１５を挟んで配置されている二階外壁部３８及び浴室側壁部３１ａにおいては、壁フレーム５２の浴室１５側（ユニットバス４８側）に壁面材５３が配置されていない。
【００４８】
壁フレーム５２は、壁幅方向に延びているランナ５５と、壁高さ方向に延びているスタッド５６とを有しており、これらランナ５５及びスタッド５６が複数ずつ組み合わされることで矩形枠状に形成されている。ランナ５５及びスタッド５６は、いずれも溝形鋼により形成されており、壁パネル５１の周縁部に沿って延びているランナ５５及びスタッド５６は、それぞれの溝部を壁フレーム５２の内側に向けて配置されている。壁フレーム５２の複数のランナ５５には、一対のスタッド５６の上端部同士を連結する上側ランナ５５ａと、下端部同士を連結する下側ランナ５５ｂとが含まれており、上側ランナ５５ａはその溝部を下方に向けて設置され、下側ランナ５５ｂはその溝部を上方に向けて設置されている。
【００４９】
建物１０においては、二階床部４０に横並びに床梁５８が設けられている。床梁５８は、各床パネル４２に横並びに配置されており、二階外壁部３８の壁パネル５１と一階外壁部３７の壁パネル５１との間に設置されている。床梁５８の屋外側面には、外装材を構成する壁面材５３が取り付けられており、その壁面材５３が上下の壁パネル５１の間において外壁面を形成している。床梁５８は、根太４５，４６と同様に溝形鋼により形成されており、脱衣室床パネル４２Ａの根太４５，４６と同じ高さ寸法を有している。床梁５８は、互いに並列に配置された２つの溝形鋼を有しており、これら溝形鋼は、それぞれの溝部を向かい合わせた状態で固定されている。床梁５８の厚み寸法は、外壁２１の壁パネル５１の厚み寸法と同じにされている。
【００５０】
脱衣室床パネル４２Ａは、浴室側下方壁部３２ａ及び廊下側下方壁部３２ｂの上に設置されており、これら下方壁部３２ａ，３２ｂに掛け渡された状態になっている。脱衣室床パネル４２Ａにおいては、その浴室１５側の端部が浴室側下方壁部３２ａの上に載せられており、廊下１７側の端部が廊下側下方壁部３２ｂの上に載せられている。この場合、脱衣室床パネル４２Ａの外側根太４５が、下方壁部３２ａ，３２ｂの各上側ランナ５５ａの上に載せられている。
【００５１】
脱衣室１６と廊下１７との間において、廊下側下方壁部３２ｂの上には、脱衣室床パネル４２Ａの端部に加えて廊下床パネル４２Ｃの端部が載せられており、これらパネル４２Ａ，４２Ｃの境界部が廊下側下方壁部３２ｂの上方に配置されている。廊下側下方壁部３２ｂの上方に配置されている廊下側壁部３１ｂは、脱衣室床パネル４２Ａと廊下床パネル４２Ｃとの境界部の上に設置されている。ここで、廊下床パネル４２Ｃは、脱衣室床パネル４２Ａと同じ高さ寸法を有しており、これら床パネル４２Ａ，４２Ｃの各上面は連続面を形成している。このため、廊下側壁部３１ｂを、床パネル４２Ａ，４２Ｃの境界部を跨いだ状態で設置することが可能になっている。
【００５２】
一方、浴室１５と脱衣室１６との間において、浴室側下方壁部３２ａの上には、脱衣室床パネル４２Ａだけが載せられており、浴室床パネル４２Ｂの端部が載せられていない。ここで、上述したように、浴室床パネル４２Ｂと脱衣室床パネル４２Ａとの境界部には上面同士の段差が形成されているため、浴室側壁部３１ａをこれら床パネル４２Ａ，４２Ｂの境界部を跨ぐように設置すると、浴室側壁部３１ａの下端面と浴室床パネル４２Ｂの上面との間に離間部分が形成されてしまい、二階床部４０に対する浴室側壁部３１ａの固定強度が低下することが懸念される。これに対して、浴室側壁部３１ａと浴室側下方壁部３２ａとが上下に重なっている構成において、浴室側下方壁部３２ａの上に浴室床パネル４２Ｂを載せないことで、浴室側壁部３１ａの下端面全体を脱衣室床パネル４２Ａの上面に載置することが可能になり、それによって、二階床部４０に対する浴室側壁部３１ａの固定強度を好適に確保できる。
【００５３】
浴室床パネル４２Ｂは、脱衣室床パネル４２Ａと外壁２１との間に設けられており、これら脱衣室床パネル４２Ａと外壁２１とに掛け渡された状態になっている。浴室床パネル４２Ｂは、屋外側の端面が床梁５８の屋内側面に重ね合わされた状態でその床梁５８に固定されており、脱衣室１６側の端面が脱衣室床パネル４２Ａの端面に重ね合わされた状態でその脱衣室床パネル４２Ａに固定されている。
【００５４】
図１（ｂ）、図３に示すように、浴室床パネル４２Ｂと脱衣室床パネル４２Ａとは、それぞれの外側根太４５同士で固定されている。ここでは、互いに固定された外側根太４５のうち、脱衣室床パネル４２Ａが有しているものを第１根太４５Ａと称し、浴室床パネル４２Ｂが有しているものを第２根太４５Ｂと称する。第１根太４５Ａと第２根太４５Ｂとは、それぞれのウェブの外側面を重ね合わせた状態で固定されている。この場合、第１根太４５Ａの下面と第２根太４５Ｂの下面とは同じ高さ位置に配置されており、これら下面は同一平面を形成している。
【００５５】
また、浴室床パネル４２Ｂは、床梁５８に固定された第３根太４５Ｃを有している。第３根太４５Ｃは、浴室床フレーム４３Ｂの外側根太４５の１つであり、第３根太４５Ｃは、そのウェブの外側面を床梁５８の屋内側面に重ね合わせた状態で、その床梁５８に固定されている。この場合、第３根太４５Ｃの下面と床梁５８の下面とは同じ高さ位置に配置されており、これら下面は同一平面を形成している。
【００５６】
なお、脱衣室床パネル４２Ａと廊下床パネル４２Ｃとの境界部において、これら床パネル４２Ａ，４２Ｃの各外側根太４５は、第１根太４５Ａと第２根太４５Ｂとが互いに固定されているのと同様に、互いに固定されている。
【００５７】
本実施形態では、浴室床パネル４２Ｂは、浴室側下方壁部３２ａ及び一階外壁部３７のいずれにも載せられていないが、浴室床パネル４２Ｂを下方から支持するブラケット６１，６２の上に載せられている。ブラケット６１，６２は、建物構造体に固定された固定部６４と、浴室床パネル４２Ｂが載せられている載置部６５とを有している。固定部６４及び載置部６５は互いに直交する方向に延びている板部であり、ブラケット６１，６２は断面Ｌ字状の山形鋼により形成されている。
【００５８】
ブラケット６１，６２のうち、第１ブラケット６１は、浴室床パネル４２Ｂの脱衣室１６側の端部を下方から支持するものであり、第２ブラケット６２は、浴室床パネル４２Ｂの屋外側の端部を下方から支持するものである。第１ブラケット６１は、建物構造体としての浴室側下方壁部３２ａに取り付けられている。第１ブラケット６１において、固定部６４は浴室側下方壁部３２ａの浴室１５側面に固定されており、載置部６５は浴室１５側に向けて水平方向に延びている。
【００５９】
固定部６４は、浴室側下方壁部３２ａの壁フレーム５２に固定されている。浴室側下方壁部３２ａの上端部においては、固定部６４が壁フレーム５２と壁面材５３との間に入り込んだ状態で上側ランナ５５ａのフランジに重ねられている。この場合、ビス等の固定具が、壁面材５３及び固定部６４を介して上側ランナ５５ａに打ち込まれている。
【００６０】
載置部６５の上面は、上側ランナ５５ａの上面（浴室側下方壁部３２ａの上端面）と同じ高さ位置に配置されている。このため、浴室床パネル４２Ｂが載置部６５の上に単に載せられるだけで、浴室床パネル４２Ｂの下面が脱衣室床パネル４２Ａの下面と同じ高さに位置合わせされることになる。
【００６１】
載置部６５の上には、浴室床パネル４２Ｂの第２根太４５Ｂが載せられており、載置部６５は第２根太４５Ｂにビス等の固定具により固定されている。この場合、載置部６５に対して浴室床フレーム４３Ｂが相対的に変位することが固定具により規制されるため、載置部６５と浴室床フレーム４３Ｂとの擦り音の発生を防止できる。
【００６２】
第２ブラケット６２は、建物構造体としての一階外壁部３７に取り付けられている。第２ブラケット６２において、固定部６４は一階外壁部３７の浴室１５側面（屋内側面）に固定されており、載置部６５は浴室１５側に向けて水平方向に延びている。固定部６４は、一階外壁部３７の壁フレーム５２に固定されている。また、載置部６５の上には、浴室床パネル４２Ｂの第３根太４５Ｃが載せられており、載置部６５はその第３根太４５Ｃに固定されている。
【００６３】
なお、第２ブラケット６２について、一階外壁部３７の壁フレーム５２に対する固定部６４の固定構造、及び浴室床パネル４２Ｂの第３根太４５Ｃに対する載置部６５の固定構造は、浴室側下方壁部３２ａに対する第１ブラケット６１の固定部の固定構造、及び浴室床パネル４２Ｂの第２根太４５Ｂに対する第１ブラケット６１の載置部６５の固定構造と同じになっている。
【００６４】
次に、二階床部４０の浴室床部分の構築手順について図４を参照しつつ説明する。図４は浴室床パネル４２Ｂの設置手順を示す図である。なお、図４においては、壁面材５３の図示を省略している。
【００６５】
まず、図４（ａ）に示すように、外壁２１及び浴室側下方壁部３２ａを構築した状態で、工場にて製造した脱衣室床パネル４２Ａを浴室側下方壁部３２ａの上に載せ、ビス等の固定具を用いて浴室側下方壁部３２ａに脱衣室床パネル４２Ａを固定する。
【００６６】
その後、図４（ｂ）に示すように、浴室側下方壁部３２ａに第１ブラケット６１を取り付けるとともに、外壁２１の一階外壁部３７に第２ブラケット６２を取り付ける。ここでは、ビス等の固定具を第１ブラケット６１の固定部６４を貫通させて浴室側下方壁部３２ａの上側ランナ５５ａに打ち込むとともに、別の固定具を第２ブラケット６２の固定部６４を貫通させて一階外壁部３７の上側ランナ５５ａに打ち込む。
【００６７】
そして、図４（ｃ）に示すように、工場にて製造した浴室床パネル４２Ｂを第１ブラケット６１及び第２ブラケット６２の上に載置（仮置き）し、浴室床パネル４２Ｂを脱衣室床パネル４２Ａ及び床梁５８に固定する。ここでは、ビス等の固定具を第２根太４５Ｂを貫通させて第１根太４５Ａに打ち込むとともに、他の固定具を第３根太４５Ｃを貫通させて床梁５８に打ち込む。ここで、浴室床パネル４２Ｂの固定作業を行う前に、浴室床パネル４２Ｂをブラケット６１，６２の上に載せることで位置合わせ及び位置保持の両方が実施されるため、浴室床パネル４２Ｂの位置合わせ及び位置保持を行うことを目的として例えばクレーン等の重機で浴室床パネル４２Ｂを吊り下げておくという必要がない。
【００６８】
また、浴室床パネル４２Ｂにブラケット６１，６２を固定する。ここでは、ビス等の固定具を第１ブラケット６１の載置部６５を貫通させて浴室床パネル４２Ｂの第２根太４５Ｂに打ち込むとともに、別の固定具を第２ブラケット６２の載置部６５を貫通させて浴室床パネル４２Ｂの第３根太４５Ｃに打ち込む。
【００６９】
浴室床パネル４２Ｂを固定した後、脱衣室床パネル４２Ａの上に壁パネル５１を立設することで浴室側壁部３１ａを形成するとともに、浴室床パネル４２Ｂの上にユニットバス４８を設置する。
【００７０】
以上詳述した本実施形態によれば、以下の優れた効果が得られる。
【００７１】
脱衣室床パネル４２Ａの第１根太４５Ａに対する浴室床パネル４２Ｂの第２根太４５Ｂの高さ位置が、その第２根太４５Ｂが載置される第１ブラケット６１により設定されるため、第１根太４５Ａに対する第２根太４５Ｂの固定作業を容易化できる。しかも、第１ブラケット６１により第２根太４５Ｂが支持されるため、第１根太４５Ａに第２根太４５Ｂを固定する際に、第２根太４５Ｂをクレーン等の重機により吊り下げ支持しておく必要や、専用の工具を用いて第２根太４５Ｂを第１根太４５Ａに仮固定しておく必要がない。したがって、第１根太４５Ａに第２根太４５Ｂを仮固定する際の作業負担を低減できる。
【００７２】
以上により、第１根太４５Ａと第２根太４５Ｂとの高さ位置の違いを利用して、脱衣室１６と浴室１５との境界部に床面の段差部分を形成する場合に、その段差の高さ寸法を好適に設定することができる。
【００７３】
脱衣室床パネル４２Ａの設置後、浴室床パネル４２Ｂの第２根太４５Ｂを第１ブラケット６１の載置部６５に載せるという容易な作業を行うことで、第１根太４５Ａに対する第２根太４５Ｂの高さ位置を設定できる。このため、第２根太４５Ｂ単体に比べて、第１根太４５Ａから遠ざかる方向に延びる延出寸法が大きく且つ重い浴室床パネル４２Ｂを建築現場にて設置する場合に、その作業負担を効果的に低減できる。しかも、第２根太４５Ｂが載せられる第１ブラケット６１が第１根太４５Ａ側に固定されているため、第１根太４５Ａに対する第２根太４５Ｂの高さ位置を設定する際の作業精度を高めることができる。
【００７４】
浴室床パネル４２Ｂが浴室床面材４４Ｂを有しているため、浴室床パネル４２Ｂの上にユニットバス４８を設置する作業を容易化できる。しかも、第１根太４５Ａと第２根太４５Ｂとの段差に合わせて浴室床パネル４２Ｂを脱衣室床パネル４２Ａよりも低い位置に設置できるため、脱衣室１６の床面とユニットバス４８の床面との段差を低減できる。
【００７５】
第１根太４５Ａと第２根太４５Ｂとは、それぞれのウェブの外側面同士で固定されているため、脱衣室床パネル４２Ａに対する浴室床パネル４２Ｂの固定強度を高めることができる。このため、浴室床パネル４２Ｂが浴室側下方壁部３２ａの上に載せられていなくても、浴室床パネル４２Ｂを適正な状態で設置できる。
【００７６】
第１ブラケット６１の固定部６４が第１根太４５Ａよりも低い位置に配置されているため、その固定部６４が第１根太４５Ａと第２根太４５Ｂとの間に入り込んだ状態にならない。したがって、浴室１５と脱衣室１６との並び方向において、脱衣室床パネル４２Ａに対する浴室床パネル４２Ｂの位置が固定部６４が挟まっている分だけ浴室１５側にずれるということを回避できる。例えば、固定部６４が第１根太４５Ａに横並びに存在していると、脱衣室床パネル４２Ａ及び床梁５８（外壁２１）の設置後に浴室床パネル４２Ｂを設置する際に、脱衣室床パネル４２Ａと床梁５８との間において浴室床パネル４２Ｂの設置スペースが固定部６４の厚み寸法の分だけ小さくなり、その設置スペースに浴室床パネル４２Ｂが入らないということが懸念されるが、固定部６４が第１根太４５Ａに対して上下にずれた位置に配置されていれば、この懸念を解消できる。
【００７７】
第１ブラケット６１の固定部６４が浴室側下方壁部３２ａよりも第２根太４５Ｂ側に配置されているため、その固定部６４が浴室側下方壁部３２ａと第１根太４５Ａとの間に入り込んだ状態にならない。したがって、浴室側下方壁部３２ａに対する第１根太４５Ａの相対的な高さ位置が固定部６４が挟まっている分だけずれるということを回避できる。例えば、固定部６４が第１根太４５Ａに縦並びに存在していると、脱衣室床パネル４２Ａ及び屋根の設置後に浴室側壁部３１ａを設置する際に、脱衣室床パネル４２Ａと屋根との間において浴室側壁部３１ａ（壁パネル５１）の設置スペースが固定部６４の厚み寸法の分だけ小さくなり、その設置スペースに浴室側壁部３１ａが入らないということが懸念されるが、固定部６４が第１根太４５Ａに対して左右にずれた位置に配置されていれば、この権を解消できる。
【００７８】
第１ブラケット６１の固定部６４が浴室側下方壁部３２ａに固定されているため、その固定部６４が第１根太４５Ａに横並びになること及び縦並びになることの両方を回避できる。
【００７９】
浴室側下方壁部３２ａと浴室側壁部３１ａとの間には、第１根太４５Ａ（脱衣室床パネル４２Ａ）が設けられ、第２根太４５Ｂ（浴室床パネル４２Ｂ）が設けられていないため、浴室側下方壁部３２ａに第１根太４５Ａを適正に固定することができるとともに、第１根太４５Ａの上に浴室側壁部３１ａを適正に設置することができる。しかも、この場合でも、第１ブラケット６１の載置部６５の上に第２根太４５Ｂが載置されることで、第１根太４５Ａに対して第２根太４５Ｂを適正な高さ位置に設置できる。
【００８０】
第１ブラケット６１は、浴室側下方壁部３２ａと脱衣室床パネル４２Ａとの間や、脱衣室床パネル４２Ａと浴室床パネル４２Ｂとの間に挟まった状態になっていないため、第２根太４５Ｂを第１根太４５Ａに固定した後、浴室側下方壁部３２ａ及び浴室床パネル４２Ｂに対する第１ブラケット６１の固定を解除することで、これら浴室側下方壁部３２ａ及び浴室床パネル４２Ｂから取り外すことができる。このため、第１ブラケット６１が、浴室側下方壁部３２ａにおける壁面材５３の取り付けや天井面材４１の取り付けに支障となることを回避できる。
【００８１】
同様に、第２ブラケット６２は、一階外壁部３７と浴室床パネル４２Ｂとの間や、浴室床パネル４２Ｂと床梁５８との間に挟まった状態になっていないため、第３根太４５Ｃを床梁５８に固定した後、一階外壁部３７及び床梁５８に対する第２ブラケット６２の固定を解除することで、これら一階外壁部３７及び床梁５８から取り外すことができる。このため、第２ブラケット６２が、一階外壁部３７における壁面材５３の取り付けや天井面材４１の取り付けに支障となることを回避できる。
【００８２】
［他の実施形態］
本発明は上記実施形態の記載内容に限定されず、例えば次のように実施されてもよい。
【００８３】
（１）上記実施形態では、第１ブラケット６１の固定部６４が浴室側下方壁部３２ａに固定されていたが、この固定部６４は、浴室床パネル４２Ｂの第１根太４５Ａに固定されていてもよい。例えば、図５（ａ）に示すように、第１ブラケット６１の固定部６４が第１根太４５Ａのウェブの外側面に固定された構成とする。この構成では、固定部６４が第１根太４５Ａと第２根太４５Ｂとの間に入り込んだ状態になっており、固定部６４の厚み寸法の分だけ浴室床パネル４２Ｂが脱衣室床パネル４２Ａから遠ざかった位置に配置されている。第１根太４５Ａと第２根太４５Ｂとの固定部分においては、第２根太４５Ｂ及び固定部６４を貫通したビス等の固定具が第１根太４５Ａのウェブに打ち込まれている。
【００８４】
また、この構成では、第１ブラケット６１の載置部６５の下面が第１根太４５Ａの下面と同じ高さ位置に配置されており、これによって、第２根太４５Ｂの下面が第１根太４５Ａの下面よりも高い位置に配置されている。この場合、第１ブラケット６１が浴室床パネル４２Ｂよりも下方に突出しておらず、浴室側下方壁部３２ａにおいて第１ブラケット６１と壁面材５３とが干渉することがないため、壁フレーム５２の上端部に対しても壁面材５３が取り付けられている。
【００８５】
さらに、図５（ｂ）に示すように、第１ブラケット６１の固定部６４が第１根太４５Ａの下側フランジの下面に固定された構成とする。この構成では、固定部６４が第１根太４５Ａと浴室側下方壁部３２ａとの間に入り込んだ状態になっており、固定部６４の厚み寸法の分だけ脱衣室床パネル４２Ａが浴室側下方壁部３２ａから上方に離間した位置に配置されている。この場合、浴室側下方壁部３２ａと脱衣室床パネル４２Ａとの固定部分においては、上側ランナ５５ａ及び固定部６４を下方から貫通したビス等の固定具が第１根太４５Ａの下側フランジに打ち込まれている。
【００８６】
また、この構成では、第１ブラケット６１が第１根太４５Ａと第２根太４５Ｂとの境界部を水平方向に跨いでおり、これら根太４５Ａ，４５Ｂの両方が第１ブラケット６１の上に載せられている。この場合、第１ブラケット６１は、浴室側下方壁部３２ａの上端面よりも下方には突出しておらず、浴室側下方壁部３２ａにおいて第１ブラケット６１と第１ブラケット６１とが干渉することがないため、壁フレーム５２の上端部に対しても壁面材５３が取り付けられている。
【００８７】
加えて、脱衣室床パネル４２Ａは浴室側下方壁部３２ａの上に載せられていなくてもよい。例えば、図６（ａ），（ｂ）に示すように、浴室側下方壁部３２ａがない構成とする。図６（ａ）の構成は、図５（ａ）の構成において浴室側下方壁部３２ａが設けられていない構成であり、図６（ｂ）の構成は、図５（ｂ）の構成において浴室側下方壁部３２ａが設けられていない構成である。
【００８８】
（２）上記実施形態では、第１根太４５Ａが脱衣室床パネル４２Ａに含まれ、第２根太４５Ｂが浴室床パネル４２Ｂに含まれていたが、これら根太４５Ａ，４５Ｂが含まれている床パネル４２は脱衣室１６及び浴室１５に設けられていなくてもよい。例えば、集合住宅において、第１根太４５Ａを含む第１床パネルが住戸に設けられ、第２根太４５Ｂを含む第２床パネルが共用通路に設けられた構成とする。この構成では、住戸の床面が共用通路の床面よりも高い位置に配置されており、第１根太４５Ａと第２根太４５Ｂとの高さ位置の違いを利用して、住戸と共用通路との境界部において床面同士の段差部分が形成されている。
【００８９】
（３）上記実施形態では、二階床部４０が、複数の根太４５，４６や床面材４４をユニット化した床パネル４２を複数用いて構成されていたが、これら根太４５，４６や床面材４４はユニット化されていなくてもよい。例えば、浴室側下方壁部３２ａの上に第１根太４５Ａが設置され、その第１根太４５Ａに第２根太４５Ｂが固定された後に、第１根太４５Ａに他の外側根太４５や脱衣室床面材４４Ａが取り付けられてもよい。
【００９０】
（４）上記実施形態では、浴室床パネル４２Ｂの第３根太４５Ｃが床梁５８に横並びに配置されていたが、第３根太４５Ｃは、床梁５８の下方や上方に配置されていてもよい。例えば、第３根太４５Ｃが一階外壁部３７の壁パネル５１と床梁５８との間に入り込んだ構成とする。この構成では、第３根太４５Ｃを一階外壁部３７の上に設置することができるため、第２ブラケット６２が設けられていなくても第３根太４５Ｃの高さ位置を容易に設定することができる。
【符号の説明】
【００９１】
１０…建物、１５…浴室、１６…脱衣室、３１ａ…上階壁部としての浴室側壁部、３２ａ…下階壁部としての浴室側下方壁部、４０…二階床部、４２…床パネル、４２…床パネル、４２Ａ…第１床パネルとしての脱衣室床パネル、４２Ｂ…第２床パネルとしての浴室床パネル、４３…床フレーム、４３Ａ…第１床フレームとしての脱衣室床フレーム、４３Ｂ…第２床フレームとしての浴室床フレーム、４４…床面材、４４Ａ…第１床面材としての脱衣室床面材、４４Ｂ…第２床面材としての浴室床面材、４５…根太としての外側根太、４５Ａ…第１根太、４５Ｂ…第２根太、４６…根太としての内側根太、４８…浴室ユニットとしてのユニットバス、６１…位置決め手段としての第１ブラケット、６４…固定部、６５…載置部。
【図１】
2015021224.tif 000003
【図２】
2015021224.tif 000004
【図３】
2015021224.tif 000005
【図４】
2015021224.tif 000006
【図５】
2015021224.tif 000007
【図６】
2015021224.tif 000008